(57)【要約】【課題】道路照明において、より広域に光を放射することのできる照明装置を提供すること。【解決手段】照明装置１００は、光源部１と、中空発光部４と、反射面５を有している。中空発光部４は、筒型形状であって一端部４ａに光源２からの光が入射して、光を他端部４ｂへと導くとともに、一部の光を長手方向に渡って光出射側面４ｃから外部に出射するものである。反射面５は、前記中空発光部４の内周壁面７に突出して一端部４ａから入射された光を屈曲させて光出射側面４ｃから外部に出射するものである。反射面５は、アルミ板等で形成された三角錐の形状である配光制御反射部材６の一つの面に設けられ、一端部４ａ及び光出射側面４ｃに臨むように傾斜し、２つの隣接する反射壁４ｄに掛け渡って配設されている。【選択図】　　　　図１
2004139844.tif 000002
【特許請求の範囲】
【請求項１】
光源と、筒型形状であって一端部に光源からの光が入射して、光を他端部へと導くとともに、一部の光を長手方向に渡って外部に出射する中空発光部と、を有する照明装置において、前記中空発光部の内周壁面に突出して一端部から入射された光を屈曲させて外部に出射する反射面を有することを特徴とする照明装置。
【請求項２】
前記中空発光部は、長手方向に並んだ複数の反射面を有し、反射面は、中空発光部の長手方向に直交する断面において断面が複数の反射面と交差しないように間隔を開けて設けられていることを特徴とする請求項１記載の照明装置。
【請求項３】
前記複数の反射面は、光源から離れる程、面積が大きくなるものであることを特徴とする請求項２に記載の照明装置。
【請求項４】
前記中空発光部は、少なくとも２つの隣接する反射壁を有し、前記反射面は、２つの隣接する反射壁に掛け渡って配設されることを特徴とする請求項１乃至請求項３のいずれかに記載の照明装置。
【請求項５】
前記中空発光部は、他端部に光透過性の拡散板を有することを特徴とする請求項１乃至請求項４のいずれかに記載の照明装置。
【発明の詳細な説明】
【０００１】
【発明の属する技術分野】
本発明は、照明装置、特に道路照明に関する照明装置に関するものである。
【０００２】
【従来の技術】
従来、この種の照明装置として、本出願人は特開２０００−１４７２６５に示すものを提案している。このものは、光源と、一端部から内部に導入された前記光源の光を、他端部へと導くとともに一部の光を外部に放射する中空のライトガイド（本発明では中空発光部に相当）とを備えた照明装置において、前記他端部の端面を前記ライトガイドの外部へ光を放射する側へ傾斜する反射面として成ることを特徴としている。このようにすることにより、ライトガイドの他端部端面における反射光の大部分が外部へ照射されるようになって光量を増加させることができる。
【０００３】
【特許文献１】
特開２０００−１４７２６５号公報
【０００４】
【発明が解決しようとする課題】
上記従来例においては、他端部の端面における反射光の大部分が外部へ照射されるようになるが、特に道幅の広い道路に用いる道路照明においては、さらに広域に光を照射する必要がある。
【０００５】
本発明は、かかる事由に鑑みてなしたものであり、その目的とするところは
道路照明において、より広域に光を放射することのできる照明装置を提供することである。
【０００６】
【課題を解決するための手段】
請求項１に係る発明は、光源と、筒型形状であって一端部に光源からの光が入射して、光を他端部へと導くとともに、一部の光を長手方向に渡って外部に出射する中空発光部と、を有する照明装置において、前記中空発光部の内周壁面に突出して一端部から入射された光を屈曲させて外部に出射する反射面を有することを特徴とする。
【０００７】
請求項２に係る発明は、請求項１記載の発明において、前記中空発光部は、長手方向に並んだ複数の反射面を有し、反射面は、中空発光部の長手方向に直交する断面において断面が複数の反射面と交差しないように間隔を開けて設けられていることを特徴とする。
【０００８】
請求項３に係る発明は、請求項２記載の発明において、前記複数の反射面は、光源から離れる程、面積が大きくなるものであることを特徴とする。
【０００９】
請求項４に係る発明は、請求項１乃至請求項３のいずれかの発明において、前記中空発光部は、少なくとも２つの隣接する反射壁を有し、前記反射面は、２つの隣接する反射壁に掛け渡って配設されることを特徴とする。
【００１０】
請求項５に係る発明は、請求項１乃至請求項４のいずれかに記載の発明において、前記中空発光部は、他端部に光透過性の拡散板を有することを特徴とする。
【００１１】
【発明の実施の形態】
図１（ａ）は、本実施形態の照明装置１００の側面断面図を示している。本実施形態の照明装置１００は、光源部１と、中空発光部４と、反射面５を主な構成要素としている。
【００１２】
光源部１は、光源２と、光源２が出射した光を配光制御する反射鏡３とを有している。光源２は、たとえば高圧放電灯である。反射鏡３は、たとえば、放物線を一回転させることによって得られる回転放物面形状の金属板の内面にアルミ蒸着等によって反射膜を形成したものである。
【００１３】
中空発光部４は、筒型形状であって一端部４ａに光源２からの光が入射して、光を他端部４ｂへと導くとともに、一部の光を長手方向に渡って光出射側面４ｃから外部に出射するものである。このものは、長さ０．５ｍから４ｍであって、長手方向に直交する断面は、一辺が１５０ｍｍの略正方形の略筒型形状に成形されたもので、図１（ｂ）に示すように一つの光出射側面４ｃと、３つの反射壁４ｄを備える。光出射側面４ｃは透光する材料であってたとえばアクリル樹脂等のパネルを用いる。また、反射壁４ｄは、光の反射率が高いもので、たとえば高反射アルミ蒸着膜を用いる。
【００１４】
反射面５は、前記中空発光部４の内周壁面７に突出して一端部４ａから入射された光を屈曲させて光出射側面４ｃから外部に出射するものである。反射面５は、
アルミ板等で形成された三角錐の形状である配光制御反射部材６の一つの面に設けられ、一端部４ａ及び光出射側面４ｃに臨むように傾斜し、２つの隣接する反射壁４ｄに掛け渡って配設されている。また、反射面５は、中空発光部４の長手方向に直交する断面において、断面が複数の反射面５と交差しないように間隔を開けて設けられている。そしてまた、光出射側面４ｃから出射する光を均一にするため、光源２から離れる程、反射面５の面積を大きくしている。なお、反射面５の材料としては、高反射率のアルミ材を用いる。なお、配光制御反射部材６は、反射壁４ｄにネジ、ボルト等で固定する。
【００１５】
このような構成により、光源２から出射された光は、直接又は反射鏡３で反射されて中空発光部４の一端部４ａに入射する。そして、中空発光部４の一端部４ａに入射した光は、他端部４ｂの方向に向かって導光され、それぞれの反射面５で反射されて光出射側面４ｃから出射される。ここで、図２に示すように、中空発光部４からの光の照射範囲は、長手方向には中空発光部４の長手方向の長さＬの約５倍すなわち５Ｌの範囲が照射される、長手方向に直交する方向には最大で１０ｍ（図２中のＤ）である。この照射範囲により、照明装置１００の設置間隔が決定される。また、実際の適用においては、照明装置１００を図３に示すように路面の路肩９ａに設けられた高欄部１２上部に設置して、路面９を照射する。
【００１６】
このようにしたので、中空発光部４の一端部４ａから入射した光は、他端部４ｂに向かって光が導光されつつ、一部の光が、中空発光部４の内周壁面７に突出して一端部４ａ及び光出射側面４ｃに臨むように傾斜した反射面５により光出射側面４ｃから放射される光が増加する。これにより、より広域に反射光が照射されて路面９の照度が確保される。また、反射面５は、中空発光部４の長手方向に直交する断面において、断面が複数の反射面５と交差しないように間隔を開けて設けられているので、それぞれの反射面５に到達する光の量が多くなり、反射面５を有効に使用することができる。そしてまた、それぞれの反射面５は光源２から離れる程、面積が大きくなっているので、それぞれの反射面５が反射する光の量は、ほぼ等しくなり、路面９を均一に照射することができる。さらに、中空発光部４は、少なくとも２つの隣接する反射壁４ｄを有し、前記反射面５を有する配光制御反射部材６は、２つの隣接する反射壁４ｄに掛け渡って配設されるようにしたので、１つの反射壁４ｄに固定する場合に比べ、反射面５及び配光制御反射部材６を強固に中空発光部４に固定することができる。また、中空発光部４は、筒型形状であるので、一般的な棒状のものに比べて軽く、軽量化を図ることがでる。さらに、他端部４ｂに光透過性の拡散板１１を有するので、長手方向にも光が出射できるので、照明装置１００の設置間隔を広くすることができ、結果的にコストダウンを図ることもできる。
【００１７】
なお、中空発光部４の他端部４ｂには、図４（ａ）、（ｂ）に示すように、光の拡散透過率が３０から８０％の範囲のアクリル、ポリカーボネート又はガラス等からなる拡散板１１を設けてもよい。また、実際の設計においては、図５（ａ）に示すように、道幅がＤ（ｍ）の路面９において、照射範囲が路肩９ａからの距離がＤ／４（ｍ）から３Ｄ／４（ｍ）の範囲で、路肩９ａから中空発光部４までの高さをＨ（ｍ）にすると、図５（ｂ）に示す反射面５の配置角度α（光出射側面４ｃに対向する反射壁４ｄと２つの反射壁４ｄに掛け渡って配設される反射面５の辺との角度）及び中空発光部４の垂線と光の照射方向のなす角度βは、α＝９０−β／２、ｔａｎ−１（Ｄ／４Ｈ）≦β≦ｔａｎ−１（３Ｄ／４Ｈ）の範囲にする。ただし、路肩９ａから照明装置１００までの高さＨ（ｍ）は、１．３ｍ以上である。また、路肩９ａから中空発光部４までの高さを１．３ｍ以下にする場合には角度αは略直角にしてもよい。これにより、路面９に対して均一な照射を行うことができる。
【００１８】
また、本実施形態においては、中空発光部４の断面を、略正方形としたが、図６に示すように長方形、三角形等種々の形状としてもよい。また、必要に応じて図７に示すように中空発光部４の外部に補助反射板１０を設けて配光を制御してもよい。ここで、光出射側面４ｃの垂線と補助反射板１０との角度ｒは、２０°から４０°が望ましい。さらにまた、図８（ａ）、（ｂ）に示すように反射面５と光出射側面４ｃに対向する反射壁４ｄの角度θを変化させてもよい。角度θは、配光制御反射部材６を反射壁４ｄにネジ、ボルト等で固定する際に、手動で調整する。さらにまた、反射面５の形状を図９に示すように方形としたり、曲線部を持たせるような形状にしてもよいし、図１０（ａ）、（ｂ）、図１１（ａ）、（ｂ）及び図１２（ａ）、（ｂ）に示すように曲面部を有する形状にしてもよい。
【００１９】
【発明の効果】
請求項１に係る発明は、光源と、筒型形状であって一端部に光源からの光が入射して、光を他端部へと導くとともに、一部の光を長手方向に渡って外部に出射する中空発光部と、を有する照明装置において、前記中空発光部の内周壁面に突出して一端部から入射された光を屈曲させて外部に出射する反射面を有するようにしたので、中空発光部の光出射側面から放出される光が増加し、より広域に反射光が照射されて路面の照度が確保される。
【００２０】
請求項２に係る発明は、請求項１記載の発明において、前記中空発光部は、長手方向に並んだ複数の反射面を有し、反射面は、中空発光部の長手方向に直交する断面において断面が複数の反射面と交差しないように間隔を開けて設けられているようにしたので、それぞれの反射面に到達する光の量が多くなり、反射面を有効に使用することができる。
【００２１】
請求項３に係る発明は、請求項２記載の発明において、前記複数の反射面は、光源から離れる程、面積が大きくなるものであるようにしたので、それぞれの反射面５が反射する光の量はほぼ等しくなり、路面を均一に照射することができる。
【００２２】
請求項４に係る発明は、請求項１乃至請求項３のいずれかの発明において、前記中空発光部は、少なくとも２つの隣接する反射壁を有し、前記反射面は、２つの隣接する反射壁に掛け渡って配設されるようにしたので、１つの反射壁に固定する場合に比べ、反射面及び配光制御反射部材を強固に中空発光部に固定することができる。
【００２３】
請求項５に係る発明は、請求項１乃至請求項４のいずれかに記載の発明において、前記中空発光部は、他端部に光透過性の拡散板を有するようにしたので、他端部に達した光は、他端部を介して出射され、路面への照射範囲を広げることができるので、照明装置の設置間隔を広くすることができ、結果的にコストダウンを図ることができる。
【図面の簡単な説明】
【図１】（ａ）は、実施形態に係る照明装置の側面断面図で、（ｂ）は、中空発光部の一端部から中空発光部の長手方向を見た図である。
【図２】実施形態に係る照明装置からの光の出射を示した概略図である。
【図３】実施形態に係る照明装置を道路に設置した場合の概略図である
【図４】（ａ）は、中空発光部の他端部近傍の側面断面図で、（ｂ）は、中空発光部の一端部から中空発光部の長手方向を見た図である。
【図５】（ａ）は、実施形態に係る照明装置の設置方法を示す図で、（ｂ）は、中空発光部の一端部から中空発光部の長手方向を見た図である。
【図６】中空発光部の種々の形状を示す図である。
【図７】中空発光部の一端部から中空発光部の長手方向を見た図である。
【図８】（ａ）は、実施形態に係る照明装置の側面断面図で、（ｂ）は、実施形態に係る照明装置の斜視図である。
【図９】中空発光部の一端部から中空発光部の長手方向を見た図である。
【図１０】（ａ）は、配光制御反射部材及び反射面の形状を示す上面図及び斜視図で、（ｂ）は実施形態に係る照明装置の一端部近傍の側面断面図である。
【図１１】（ａ）は、配光制御反射部材及び反射面の形状を示す上面図及び斜視図で、（ｂ）は本発明の実施形態に係る照明装置の一端部近傍の側面断面図である。
【図１２】（ａ）は、配光制御反射部材及び反射面の形状を示す上面図及び斜視図で、（ｂ）は本発明の実施形態に係る照明装置の一端部近傍の側面断面図である。
【符号の説明】
１　　光源部
２　　光源
３　　反射鏡
４　　中空発光部
４ａ　一端部
４ｂ　他端部
４ｃ　光出射側面
４ｄ　反射壁
５　　反射面
６　　配光制御反射部材
７　　内周壁面
【図１】
2004139844.tif 000003
【図２】
2004139844.tif 000004
【図３】
2004139844.tif 000005
【図４】
2004139844.tif 000006
【図５】
2004139844.tif 000007
【図６】
2004139844.tif 000008
【図７】
2004139844.tif 000009
【図８】
2004139844.tif 000010
【図９】
2004139844.tif 000011
【図１０】
2004139844.tif 000012
【図１１】
2004139844.tif 000013
【図１２】
2004139844.tif 000014